(57)【要約】【課題】本発明は、ビール樽を個々の届け先に郵送する際に、貼付した送り状を剥がす手間を省き、シール跡の美観上の問題をなくし、かつ、ビール樽が結露したとしても送り状が剥がれ落ちる心配がない配送用荷札取付け台紙を提供することを目的とする。【解決手段】本発明に係る配送用荷札取付け台紙１００は、天頂部に口金５を有する圧力容器部１と、圧力容器部１の側面下方に延びる筒状の脚部３と、圧力容器部１の側面上方に延びる筒状の把持部２とを有する飲料用樽容器４に取り付けるための配送用荷札取付け台紙であって、筒状の把持部２の内側に入れ込ませて、圧力容器部１の天面６を覆った状態で着脱自在に保持されることを特徴とする。【選択図】図２
2008302553.tif 000002
【特許請求の範囲】
【請求項１】
天頂部に口金を有する圧力容器部と、該圧力容器部の側面下方に延びる筒状の脚部と、前記圧力容器部の側面上方に延びる筒状の把持部とを有する飲料用樽容器に取り付けるための配送用荷札取付け台紙であって、
前記筒状の把持部の内側に入れ込ませて、前記圧力容器部の天面を覆った状態で着脱自在に保持されることを特徴とする配送用荷札取付け台紙。
【請求項２】
前記飲料用樽容器は、前記筒状の把持部の上端に、周回するカール部を有し、
前記配送用荷札取付け台紙は、該カール部の内径よりも大きな径の円形若しくは略円形の形状を有することを特徴とする請求項１に記載の配送用荷札取付け台紙。
【請求項３】
前記口金の外径よりも大きな間隔で、かつ、重心を対称として、２本の平行な折り曲げ案内用の折り目加工された折り目線が設けられていることを特徴とする請求項１又は２に記載の配送用荷札取付け台紙。
【請求項４】
重心を中心とした放射方向に沿って、周端と交わる箇所に切れ目が複数設けられていることを特徴とする請求項１、２又は３に記載の配送用荷札取付け台紙。
【請求項５】
前記飲料用樽容器は、前記口金の天面の高さが前記カール部の上端面と下端面との間に位置し、
前記配送用荷札取付け台紙は、前記カール部の下端面と前記口金の天面とに当接されることによって、凸状のアーチ形状を形成することを特徴とする請求項２、３又は４に記載の配送用荷札取付け台紙。
【請求項６】
前記飲料用樽容器は、前記口金の天面の高さが前記カール部の下端面よりも低い位置にあり、
前記配送用荷札取付け台紙は、前記圧力容器部の天面の上に配置される高さ調整部品をさらに有し、かつ、前記カール部の下端面と前記高さ調整部品の天面とに当接されることによって、凸状のアーチ形状を形成することを特徴とする請求項２、３又は４に記載の配送用荷札取付け台紙。
【発明の詳細な説明】
【技術分野】
【０００１】
本発明は、ビール、発泡酒又はチューハイなどの炭酸ガス含有飲料を充填するための圧力容器である樽容器（以下、「ビール樽若しくは飲料用樽容器」という。）の天面に取り外し可能に保持される、宅配便で使用される送り状を添付するための配送用荷札取付け台紙に関する。
【背景技術】
【０００２】
従来から、ビール樽を輸送用のパレットを単位としてトラックに積載し、発送する輸送形態が採られている。そのため、輸送センターで、パレット等に届け先を明示した送り状を添付している。
【０００３】
また、輸送方法にはトラックの混載便と１台仕立てがあるが、１台仕立てでは届け先が１箇所のみの形態である。
【０００４】
なお、ビール樽には、７リットル、１５リットル、２０リットルなどの内容量の各タイプが存在する。これらのビール樽の材質はステンレススチール製であり、ビールを抽出する際に樽内部を炭酸ガス又は窒素ガスで押圧するため、天面部や底面部は圧力容器の円筒タンクなどに用いられている鏡板の構造と同様の形状になっている。そして、天面部の天頂にはビール及び炭酸ガスなどの出入り口である口金（スピアバルブ）が設けられている。
【０００５】
ところで、一般に配送物を郵送する場合に宅配便の送り状を貼付するが、配送物に直接送り状を貼付するとシール跡が残って見栄えが悪くなる場合がある。これを防ぐために送り状等の貼り付け板に関する技術がある（例えば特許文献１を参照。）。
【０００６】
【特許文献１】実用新案登録第３１２７２５９号公報
【発明の開示】
【発明が解決しようとする課題】
【０００７】
従来のパレットを単位とするビール樽の輸送形態に対して、最近は製品の多品種化、冷蔵配送化、小ロット化又は新鮮ビールの迅速輸送化の要求が大きくなってきている。これらの要求に応えるために、ビール樽を１樽単位で個々の届け先に配送しようという発想がある。
【０００８】
しかし、ビール樽を１樽単位で届け先に配送するために、パレット単位での少量の輸送方式として、トラックにおける混載便やトラック１台仕立てでの配送方式で対応しようとすれば費用が多くかかり、また、前記要求に充分に応えられない場合が多い。そこで、ビール樽を１樽単位で配送する場合、小回りの利き易い宅配便を利用することが考えられる。
【０００９】
ここで、宅配便による配送手段においては、通常「送り状」を配送物に貼り付けて行なう。この「送り状」は配送途中での剥がれ防止の観点から、接着力の強い糊が用いられることが知られている。一方、ビール樽は市場に出回ってから中身であるビールが消費されて空になると、ビール製造工場に回収され、ビール樽の内外部を洗浄した後、ビールが充填され、ビール樽は再度使用されることとなる。この際、宅配便の送り状がビール樽本体に貼り付けられていると、強い接着力を有する糊を使用していることと市場から回収されるまでに相当日数が経過していることから、送り状がビール樽本体に強力に接着されたままの状態にある。そこで、「送り状」をビール樽から剥がそうとすると特許文献１が指摘するのと同様の問題、すなわち、シール跡が残って見栄えが悪くなる問題が発生する。そしてシール跡をきれいに剥がそうとすると、ビール樽の洗浄時に多大な労力が必要となる。
【００１０】
また、ビールの鮮度維持のため、ビール樽を保冷庫から取り出して直ぐに発送する場合がある。このとき、冷却されたビール樽に水滴が結露した状態で送り状を貼り付けると、送り状が接着面を含めて濡れて、本来必要な接着力が落ちてしまい、送り状がビール樽から剥がれてしまう場合がある。こうなると、届け先が不明となってしまう。
【００１１】
そこで、本発明は、送り状を剥がす手間を省き、シール跡の美観上の問題をなくし、かつ、ビール樽が結露したとしても送り状が剥がれ落ちる心配をなくすため、ビール樽に送り状を直接貼り付けるのではなく、送り状を貼るための台紙として、ビール樽の把持部に簡易に装着することが可能な配送用荷札取付け台紙を提供することを目的とする。また、ビール樽のスピアバルブである口金をキャップシールと共に二重に被覆することで、埃や汚れの付着を防止して、衛生性を向上させることを目的とする。さらに、配送用荷札取付け台紙は、キャップシールよりも大きな面積を有し、大幅にデザインスペースを確保することができるので、例えば広告、宣伝、注意事項などの記載に活用することを目的とする。また、ビール樽は従前どおり、上下にスタック性を有したままとする。
【課題を解決するための手段】
【００１２】
本発明者らは、上記課題を解決すべく鋭意検討した結果、ビール樽の把持部の内側に圧力容器部の天面を覆い、かつ、取り外し可能な「配送用荷札取付け台紙」を装着し、その台紙に送り状を貼付する構造とした。すなわち、本発明に係る配送用荷札取付け台紙は、天頂部に口金を有する圧力容器部と、該圧力容器部の側面下方に延びる筒状の脚部と、前記圧力容器部の側面上方に延びる筒状の把持部とを有する飲料用樽容器に取り付けるための配送用荷札取付け台紙であって、前記筒状の把持部の内側に入れ込ませて、前記圧力容器部の天面を覆った状態で着脱自在に保持されることを特徴とする。
【００１３】
本発明に係る配送用荷札取付け台紙では、前記飲料用樽容器は、前記筒状の把持部の上端に、周回するカール部を有し、前記配送用荷札取付け台紙は、該カール部の内径よりも大きな径の円形若しくは略円形の形状を有することが好ましい。筒状の把持部は、天面側から見て円形をしているため、配送用荷札取付け台紙の形状をこの形状に合わせることで、装着性が向上すると共に圧力容器部の天面をほぼ被覆することができるので衛生性も向上する。
【００１４】
本発明に係る配送用荷札取付け台紙では、前記口金の外径よりも大きな間隔で、かつ、重心を対称として、２本の平行な折り曲げ案内用の折り目加工された折り目線が設けられていることが好ましい。折り目線を山折することで、従前と遜色なく把持部を握ることが可能であり、かつ、折り目線が変形防止用の補強をする。
【００１５】
本発明に係る配送用荷札取付け台紙では、重心を中心とした放射方向に沿って、周端と交わる箇所に切れ目が複数設けられていることが好ましい。配送用荷札取付け台紙の装着時において、その周端をカール部にくぐらせるが、前記切れ目を設けることで、装着が容易となる。
【００１６】
本発明に係る配送用荷札取付け台紙では、前記飲料用樽容器は、前記口金の天面の高さが前記カール部の上端面と下端面との間に位置し、前記配送用荷札取付け台紙は、前記カール部の下端面と前記口金の天面とに当接されることによって、凸状のアーチ形状を形成することが好ましい。アーチ形状を形成するように歪ませておくことで、配送用荷札取付け台紙を装着した後、ビール樽に輸送などで振動が加わった場合においても配送用荷札取付け台紙がずれ難い。
【００１７】
本発明に係る配送用荷札取付け台紙では、前記飲料用樽容器は、前記口金の天面の高さが前記カール部の下端面よりも低い位置にあり、前記配送用荷札取付け台紙は、前記圧力容器部の天面の上に配置される高さ調整部品をさらに有し、かつ、前記カール部の下端面と前記高さ調整部品の天面とに当接されることによって、凸状のアーチ形状を形成することが好ましい。ビール樽の容量によって、口金の天面の高さとカール部の下端面の高さの関係が一様でないため、調整部品を用意することで、口金の天面の高さとカール部の下端面の高さの関係がどのような場合であっても配送用荷札取付け台紙を装着した後、ビール樽に輸送などで振動が加わった場合においても配送用荷札取付け台紙がずれ難い。
【発明の効果】
【００１８】
本発明では、ビール樽を個々の届け先に宅配便を利用して配送する場合、ビール樽に送り状を直接貼り付けるのではなく、ビール樽の把持部に簡易に装着することが可能な配送用荷札取付け台紙を用いるため、送り状を剥がす手間がなく、シール跡の美観上の問題がなく、かつ、ビール樽が結露したとしても送り状が剥がれ落ちる心配がない。また、ビール樽のスピアバルブである口金をキャップシールと共に二重に被覆することとなるので、埃や汚れの付着が防止され、衛生性が向上する。さらに、配送用荷札取付け台紙は、キャップシールよりも大きな面積を有するので、大幅にデザインスペースを確保することができ、例えば広告、宣伝、注意事項などの記載に活用できる。また、ビール樽は従前どおり、上下にスタック性を有している。
【発明を実施するための最良の形態】
【００１９】
添付の図面を参照して本発明の実施の形態を説明する。以下に説明する実施の形態は本発明の構成の例であり、本発明は、以下の実施の形態に制限されるものではない。
【００２０】
本実施形態に係る配送用荷札取付け台紙について、図１〜図５を用いて説明する。図１は、本実施形態に係る配送用荷札取付け台紙を飲料用樽容器に装着し、送り状１１を貼付した時の様子を説明するための斜視概略図である。図２は、本実施形態に係る配送用荷札取付け台紙を飲料用樽容器に装着した状態を説明するための概略図である。図３は、本実施形態に係る配送用荷札取付け台紙の一形態を示す概略図（点線は折り目線を示した）であり、（ａ）は正面図、（ｂ）は底面図である。なお、上面図、右側面図、左側面図は、底面図と同様に表される。また、背面図は正面図と同様に表される。図４は、Ａ‐Ａ’断面図である。
【００２１】
図１〜図５で示すように、本実施形態に係る配送用荷札取付け台紙１００は、天頂部に口金５（スピアバルブ）を有する圧力容器部１と、圧力容器部１の側面下方に延びる筒状の脚部３と、圧力容器部１の側面上方に延びる筒状の把持部２とを有する飲料用樽容器４に取り付けるための配送用荷札取付け台紙であって、筒状の把持部２の内側に入れ込ませて、圧力容器部１の天面６を覆った状態で着脱自在に保持される。このときの保持状態は、例えば配送用荷札取付け台紙が筒状の把持部２の内側に引っかかって固定された状態である。このとき、引っかかっているだけであるため、簡単に取り外しができる。このような引っかかりは、例えば、配送用荷札取付け台紙を、筒状の把持部２の内側よりも大きめとなるように作製することで容易に実現できる。
【００２２】
飲料用樽容器４は、現在流通している一般的なビール樽である。圧力容器部１の側面上方に延びる筒状の把持部２には、上端に周回するカール部７が設けられている。そして、圧力容器部１の側面下方に延びる筒状の脚部３には、下端に周回する凹部８が設けられている。カール部７に凹部８が重ねられて、飲料用樽容器４をスタックすることができる。
配送用荷札取付け台紙１００を筒状の把持部２の内側に入れ込ませることで、スタック性を阻害することがない。また、筒状の把持部２には、口金５を対称として２箇所に開口部（図２の符号９）が設けられており、開口部９を人間の手或いは各種搬送機械のフックなどが入ることでハンドリングが容易にできるようになっている。
【００２３】
本実施形態に係る配送用荷札取付け台紙１００では、楕円形、矩形、多角形など各種の形状にすることが可能であるが、カール部７の内径よりも大きな径の円形若しくは略円形の形状を有することが好ましい。カール部７の内径よりも大きな径とすることによって、カール部７に配送用荷札取付け台紙１００が引っ掛かる形状とすることができる。そして、カール部７の外径よりも小さな径とすることがより好ましい。配送用荷札取付け台紙１００の周端がカール部７に引っ掛かると共に、台紙の余りがないので、歪みなく装着することができる。円形若しくは略円形の形状とするのは、筒状の把持部２は、天面６側を見て円形をしているため、配送用荷札取付け台紙の形状をこの形状に合わせることで装着性が向上すると共に、圧力容器部の天面６をほぼ被覆することができるので衛生性も向上する。略円形の形状とは、例えば、正多角形として装着時のフィット性の観点から円形とほぼ同等と見なしてよい形状を含ませる趣旨である。
【００２４】
本実施形態に係る配送用荷札取付け台紙１００では、図３で示したように重心Ｘ（円形の場合は円の中心）を中心とした放射方向に沿って、周端２１と交わる箇所に切れ目２２が複数設けられていることが好ましい。配送用荷札取付け台紙の装着時において、その周端をカール部７にくぐらせるが、切れ目２２を設けることで、装着が容易となる。装着の容易化のためには、切れ目２２は、カール部７を最後にくぐることとなる箇所に設けられていることが好ましい。したがって、切れ目２２を多く設ければ、カール部７を最後にくぐりうる箇所が多くなることとなり、いちいち切れ目２２を見つけてくぐらせる箇所のめぼしをつける必要はなくなる。つまり、装着者は最後にくぐらせる場所がどこであるかということを考えずに配送用荷札取付け台紙を飲料用樽容器４に取り付けることができる。
図３では、左記の装着方向を見つける作業をなくすために、１６本の切れ目２２をいれることで１６分割した折り曲げ可能なフラップ２５を設けている。このフラップ２５には折り曲げを案内するための折り目線２３が設けられ、例えばカール部７にフラップ２５を入り込ませるときなど必要に応じて折り込まれる。折り目線２３は全体で正１６角形の形状を形成している。折り目線２３を直線とすることによって折り曲げを容易とすることができ、また、周端２１を円形とすることでカール部７への引っかかり面積を最大化している。切れ目２２の切れ込み量は、カール部７の外径と内径との差の半分とすることが好ましい。一例を挙げれば、切れ込み量は１５ｍｍであり、このときカール部の外径はφ２５８ｍｍ、配送用荷札取付け台紙１００の外径はφ２５６ｍｍ、飲料用樽容器４は麒麟麦酒株式会社製の７リットルビール樽である。なお、図３では、例として１６分割の場合を示したが、８分割以上が好ましく、１２分割以上がより好ましい。切れ目２２が多いため、カール部７をくぐらせるときの作業性が良好となる。
【００２５】
本実施形態に係る配送用荷札取付け台紙１００では、口金５の外径よりも大きな間隔で、かつ、重心（円形の場合は円の中心）を対称として、２本の平行な折り曲げ案内用の折り目加工された折り目線２４ａ，２４ｂが設けられていることが好ましい。折り目線を山折することで、従前と遜色なく把持部２の開口部９を握ることが可能であり、かつ、折り目線２４ａ，２４ｂが変形防止用の補強をする。折り目線２４ａ，２４ｂの間隔を口金５の外径よりも大きくするのは、折り目線２４ａ，２４ｂで挟まれた平坦部分の裏面に口金５の天面５ａを当接させるためである。折り目線２４ａ，２４ｂの間隔を口金５の外径よりも僅かに大きくした場合、口金５によって、配送用荷札取付け台紙１００の移動・ガタツキが規制され、折り目線の直角方向にはほとんど配送用荷札取付け台紙１００が移動せず、運搬途中においてもズレを少なくすることができる。一方、折り目線２４ａ，２４ｂの間隔は、送り状１１よりも大きいことが好ましく、折り目線２４ａ，２４ｂで挟まれた平坦部分の表面に送り状１１を平坦な状態で貼付できる間隔とすることが好ましい。
【００２６】
本実施形態に係る配送用荷札取付け台紙１００の飲料用樽容器４への装着は、カール部７をくぐるように配送用荷札取付け台紙１００のフラップ２５を入り込ませて、平行な２本の案内である折り目線２４ａ，２４ｂを山折の方向で曲げる。麒麟麦酒株式会社製の７リットルビール樽のように、圧力容器部１の口金５の天面５ａの高さがカール部７の上端面７ａと下端面７ｂとの間に位置するようになっている形態がある。この場合、配送用荷札取付け台紙１００を装着した際、飲料用樽容器４を上部から見た場合、配送用荷札取付け台紙１００のほぼ中心付近に口金５が当接する形状となる。一方、配送用荷札取付け台紙１００は、口金５の天面５ａよりも低い位置にあるカール部７の下端面７ａにその周端２１を入り込ませて保持される。このため、平行な２本の案内である折り目線２４ａ，２４ｂを山折に折り曲げることによって円周方向の折り目線２３と折り目線２４ａ，２４ｂとの交点である４箇所２６ａ〜２６ｄがカール部７で支持され、かつ、配送用荷札取付け台紙１００の中央付近の裏面の1箇所が口金５の天面５ａで支持される。すなわち、配送用荷札取付け台紙１００は５箇所で支持されることとなる。その結果、配送用荷札取付け台紙１００は、カール部７の下端面７ｂと口金５の天面５ａとに当接されることによって、凸状のアーチ形状を形成するように変形する。配送用荷札取付け台紙１００が凸状のアーチ形状を形成すると、配送用荷札取付け台紙を装着した後、ビール樽に輸送などで振動が加わった場合においても配送用荷札取付け台紙がずれ難い。
【００２７】
筒状の把持部２には、口金５を対称として２箇所に開口部９が設けられているが、平行な２本の案内である折り目線２４ａ，２４ｂの位置を開口部９に最も近づけた状態で配送用荷札取付け台紙１００を装着することによって、従来と遜色なく飲料用樽容器４の持ち運び、搬送が可能である。なお、配送用荷札取付け台紙１００は、装着後も圧力容器部１の天面６上方にて自由に重心Ｘを中心として回転させることができるので、把手の位置関係を考慮した位置に移動させることができる。
【００２８】
折り目線２４ａ，２４ｂは、変形防止用の補強をするが、平行な折り目線を縦横に碁盤目状に設けることも可能である。ただしこの場合、平行な２本の折り目線を曲げることで装着が可能であるから、他の直行する２本の折り目線は折り曲げなくてもよい。つまり、開口部９に近いほうの折り目線を曲げればよいのであり、把手の位置関係の調整が容易となる。
【００２９】
また、飲料用樽容器４の形状として、口金の天面５ａの高さがカール部の下端面よりも低い位置にある形態もある。図５に、麒麟麦酒株式会社製の２０リットルビール樽に配送用荷札取付け台紙１０を装着したときの縦断面概略図を示した。この場合、麒麟麦酒株式会社製の７リットルビール樽での場合のように、配送用荷札取付け台紙１００は５箇所で支持されない。しかし、フラップがカール部に引っかかり、特に配送用荷札取付け台紙１００が円形の場合は円周のいずれの箇所でもカール部に引っかかるので、配送用荷札取付け台紙１００が飲料用樽容器４から振動等の衝撃ではずれるおそれは少ない。
【００３０】
飲料用樽容器４の形状として、口金の天面５ａの高さがカール部の下端面よりも低い位置にある形態において、麒麟麦酒株式会社製の７リットルビール樽で実現した配送用荷札取付け台紙１００を口金５とカール部７で支持する形態と同様の作用によって、配送用荷札取付け台紙１００を支持したい場合、例えば、圧力容器部の天面６の上に高さ調整部品（不図示）をさらに配置する。高さ調整部品は、例えば、口金５の外径よりも大きな内径を有する筒状体の加工物であり、口金が挿入されるように圧力容器部１の天面６上に載置する。高さ調整部品の上端面の高さがカール部の上端面と下端面との間に位置するようになっている形態が好ましい。この場合、カール部の下端面と高さ調整部品の天面とに当接されることによって、同様に、凸状のアーチ形状を形成することが可能となる。一方、高さ調整部品は、配送用荷札取付け台紙１００に押さえつけられた状態となり、かつ、口金５によって動きが規制されているため、ビール樽に輸送などで振動が加わった場合においてもずれ難い。このように、ビール樽の容量によって、口金の天面５ａの高さとカール部の下端面の高さの関係が一様でないため、高さ調整部品を用意することで、口金の天面５ａの高さとカール部の下端面の高さの関係がどのような場合であっても配送用荷札取付け台紙を装着した後、ビール樽に輸送などで振動が加わった場合においても配送用荷札取付け台紙がずれ難い。なお、配送用荷札取付け台紙１００と高さ調整部品とは別体とする方が保管の都合上、省スペースとなるが、一体に作製してもよい。
【００３１】
配送用荷札取付け台紙１００又は高さ調整部品の材質は、例えば紙、プラスチックがあるが、送り状と同じ紙とすることが好ましい。これによってビール樽が客先に納入された後は、送り状を貼付したまま、そのまま廃棄ゴミとして処分することができる。その際に廃棄物の分別を必要としないことも可能である。
【図面の簡単な説明】
【００３２】
【図１】本実施形態に係る配送用荷札取付け台紙を飲料用樽容器に装着し、送り状を貼付した時の様子を説明するための斜視概略図である。
【図２】本実施形態に係る配送用荷札取付け台紙を飲料用樽容器に装着した状態を説明するための概略図である。
【図３】本実施形態に係る配送用荷札取付け台紙の一形態を示す概略図であり、（ａ）は正面図、（ｂ）は底面図である。なお、上面図、右側面図、左側面図は、底面図と同様に表される。背面図は正面図と同様に表される。
【図４】は、Ａ‐Ａ’断面図である。
【図５】麒麟麦酒株式会社製の２０リットルビール樽に配送用荷札取付け台紙を装着したときの縦断面概略図を示した。
【符号の説明】
【００３３】
１  圧力容器部，３  筒状の脚部，２筒状の把持部，４  飲料用樽容器，５  口金，５ａ  口金の天面，６  圧力容器部の天面，７  カール部，８  凹部，９  開口部，１１  送り状，２１  周端，２２  切れ目，２３  円周方向の折り目線，２４ａ，２４ｂ  折り目線，２５  フラップ，２６ａ〜２６ｄ  円周方向の折り目線２３と折り目線２４ａ，２４ｂとの交点の４箇所，１００  配送用荷札取付け台紙，Ｘ  重心
【図１】
2008302553.tif 000003
【図２】
2008302553.tif 000004
【図３】
2008302553.tif 000005
【図４】
2008302553.tif 000006
【図５】
2008302553.tif 000007